(57)【要約】【課題】フルハーネス型の墜落制止用器具を着用していても、墜落制止用器具の背部のハーネスなどで標示が隠れないようにし、工事作業者の所属企業名などの標示が明確になるようにする。【解決手段】標示シート１を、墜落制止用器具ａの背部に配されるランヤード取付用の連結具に対応する開口４を有するシート本体２と、墜落制止用器具ａにおける背部のハーネスとシート本体２とを連結する連結バンド３とを備えるものとした。【選択図】図２
2020114274.tif 000002
【特許請求の範囲】
【請求項１】
フルハーネス型墜落制止用器具の背部に取り付ける標示シートであって、墜落制止用器具の背部に配されるランヤード取付用の連結具に対応する開口を有するシート本体と、墜落制止用器具における背部のハーネスと前記シート本体とを連結する連結バンドとを備えることを特徴とする標示シート。
【発明の詳細な説明】
【技術分野】
【０００１】
本発明は屋外等での高所作業者が着用するフルハーネス型の墜落制止用器具に取り付けて、作業者が所属する施工会社名などの情報を確認し易くするための標示シートに関するものである。
【背景技術】
【０００２】
建設工事現場での高所作業や既設建物の外壁修繕での高所作業を行なう作業者は、腰ベルトにランヤード（安全綱）を取り付けるとともにそのランヤードの一端にあるフックを頑丈に組まれた足場パイプや事前に張られた安全索に掛けて、高所の作業位置で躓いたり誤って転倒したとして身体が転落することがないようにしている。
【０００３】
また近年では腰ベルトに代わるものとして、特許文献１に示されているように肩ベルトと腰ベルトと腿ベルトなどを繋ぎ合わせて一体とするフルハーネス型の墜落制止用器具があり、肩ベルトを交差させた背部にランヤードを連結し易くするＤ環を配置したものも利用されるようになってきている。
【０００４】
そして、温度が下がった屋外での作業に際しては保温効果のある作業服を着る場合もあることから、特許文献２に示されているようにその作業服の背中面にランヤードを通すことのできる口を設けるようにした工夫がある。
【先行技術文献】
【特許文献】
【０００５】
【特許文献１】特開２０１４−０６１２３７号公報（図１、図２）
【特許文献２】実用新案登録第３２１１０６３号公報
【発明の開示】
【発明が解決しようとする課題】
【０００６】
ところで、作業者が現場で作業するに際して、作業者が所属する会社名が記載されたベストや、前部や背部に透明なポケットを有して会社名を記載した用紙を入れたベストを着用して、工事関係者であることを明確にするとともに、関係者以外が立ち入った場合でも簡単に見分けが付くようにしている。そして、同じ作業現場での同一作業内容であっても作業者が変わる場合もあるので、ベストにて会社名を標示させることは、ベストの着用が極めて容易である点から、標示の仕方としては安価であり有用である。
【０００７】
しかしながらベストの背部となる面に会社名などの標示を配置していると、上述したフルハーネス型の墜落制止用器具をベストの上に着用した場合、会社名などの標示部分に墜落制止用器具の背部のハーネスが重なってしまい、標示の内容が判り難くなるという不具合が生じる。
【０００８】
そこで本発明は上記事情に鑑み、フルハーネス型の墜落制止用器具を着用していても、この墜落制止用器具の背部のハーネスなどで標示が隠れないようにすることを課題とし、工事作業者の所属企業名などの標示が明確になるようにすることを目的とするものである。
【課題を解決するための手段】
【０００９】
（請求項１の発明）
本発明は上記課題を考慮してなされたもので、フルハーネス型墜落制止用器具の背部に取り付ける標示シートであって、墜落制止用器具の背部に配されるランヤード取付用の連結具に対応する開口を有するシート本体と、墜落制止用器具における背部のハーネスと前記シート本体とを連結する連結バンドとを備えることを特徴とする標示シートを提供して、上記課題を解消するものである。
【発明の効果】
【００１０】
（請求項１の発明の効果）
本発明によれば、シート本体は、墜落制止用器具の背部に配されるランヤード取付用の連結具に対応する開口を有しているので、その連結具の部分にシート本体の前記開口を対応させて、墜落制止用器具の外側からシート本体が重なるようにして取り付ければよく、そのシート本体に予め標示を施しておくことで、墜落制止用器具を着用していても標示を判り易い状態にすることができるという効果を奏するものである。
【図面の簡単な説明】
【００１１】
【図１】本発明の実施の形態を示す説明図である。
【図２】実施の形態の使用状態を概略的に示す説明図である。
【図３】墜落制止用器具の着用状態を示す説明図である。
【発明を実施するための形態】
【００１２】
つぎに本発明を図１から図３に示す実施の形態に基づいて詳細に説明する。図中１は標示シートで、図２に示されているようにこの標示シート１はフルハーネス型の墜落制止用器具ａの背部に対して外側から取り付けて使用するものである。
【００１３】
墜落制止用器具ａを着用した状態が図３に示されていて、この墜落制止用器具ａは、着用時に作業者の背中に渡される墜落制止用器具ａの背部のハーネスである肩ベルトｂがＸ字状に配置され、肩ベルトｂの交差位置に、図示しないランヤードを取り付けるための連結具としてＤ環ｃが取り付けられている。なお、墜落制止用器具ａの背部とは、前述したように作業員の背中に重なる部分を指していて、図示された肩ベルトｂの作業者の背中に重なる部分を指している。
【００１４】
上記標示シート１は、メッシュ生地からなる柔軟なシート本体２と、このシート本体２と墜落制止用器具ａの肩ベルトｂとを連結する連結バンド３とを備えてなるものであり、前記連結バンド３の配置は、墜落制止用器具ａを着用したときにＸ状のレイアウトとなる肩ベルトｂの位置に対応して、シート本体２の上辺側と下辺側とのそれぞれで左右一対にして配置されている。
【００１５】
（シート本体）
上述したように標示シート１は、墜落制止用器具ａの背部に対して外側から取り付けるものであり、シート本体２は墜落制止用器具ａの背部に重ねられるようになる。そして、このシート本体２にあっては、ランヤード取付用の連結具（Ｄ環ｃ）に対応する部分に開口４を有しており、標示シート１を墜落制止用器具ａの背部に対して取り付けるときに、前記開口４にＤ環ｃが表出されるようにする。
【００１６】
（連結バンド）
連結バンド３それぞれは、図１に示されているように、一端がシート本体２に固定されている伸縮可能な合成ゴムの縦帯部５と、縦帯部５の先端からこの縦帯部５に直角となる方向や交差する方向に伸びる巻き帯部６とからなるものである。
【００１７】
縦帯部５は、墜落制止用器具ａに標示シート１を取り付けるときに肩ベルトｂに重なり、そして肩ベルトｂ側の面に滑り止め加工が施されている。また、巻き帯部６は肩ベルトｂに巻き着ける帯体であり、縦帯部５と同様に伸縮可能な合成ゴムから成形されている。さらに巻き帯部６の前記縦帯部５側の端部と反対側の端部とのそれぞれには面ファスナー７ａ、７ｂが設けられていて、巻き帯部６を緊締状態にして肩ベルトｂに巻き着けた後に、この巻き帯部６の前記縦帯部５側の端部と反対側の端部を重ね合わせて連結させることができるようにしている。勿論、両端部が面ファスナー７ａ、７ｂを介して連結されているため、必要に応じて両端部を離すこともできるものである。
【００１８】
なお、上記実施の例では、連結バンド３を、シート本体２の上辺側と下辺側とのそれぞれに、シート本体２の中心を間にして左右に対にして設けたが、この連結バンド３の配置は墜落制止用器具ａの背部の肩ベルトｂの配置に適合するようにしたものであり、墜落制止用器具ａを着用した作業者の背中にこの標示シート１を、上記開口４がＤ環の部分に対応するようにしながら合わせて、墜落制止用器具ａの背部に重ね合わせるようにする。そして、連結バンド３それぞれを肩ベルトｂの位置に合わせて、上記巻き帯部６を肩ベルトｂに緊締状態で巻き着けることで、この連結バンド３を介してシート本体２と肩ベルトｂとが連結され、標示シート１が墜落制止用器具ａの背部に取り付けられる。
【００１９】
墜落制止用器具ａの背部での肩ベルトｂの配置には、左右の肩ベルトｂが背部中央のランヤード取付用の連結具の配置部分で連結され、この連結具の配置部分から一本にして腰ベルトｄ（ハーネス）に達するＹ字状としたものもある。このような墜落制止用器具ａの場合では、本標示シート１は、背部の縦中心を通るベルトに連結する連結バンド３がシート本体２の下辺側の中央に設けるようにすればよい。
【００２０】
このように本発明は図示の実施の形態に限定されるものではなく、連結バンド３については、シート本体２と墜落制止用器具ａの背部のベルトとが連結される配置であればよいものである。また、上記開口４は図示の例では枠状の形態として示したが、Ｄ環などの連結具が引き出せるものであればよく、例えばスリット状とすることも可能である。
【００２１】
（開口）
上記実施の形態では開口４を矩形状に広がりのある貫通部分として示しているが、本発明の標示シートではシート本体に設ける開口の形状は上記実施の形態に限定されない。即ち、墜落制止用器具の連結具を開口に通し、墜落制止用器具の着用者の後方に向けて連結具が引き出されるようになればよく、例えば、シート本体に一直線状に入れた切れ目により開口を構成することも可能である。
【符号の説明】
【００２２】
１…標示シート
２…シート本体
３…連結バンド
４…開口
５…縦帯部
６…巻き帯部
７ａ、７ｂ…面ファスナー
ａ…墜落制止用器具
ｂ…肩ベルト
ｃ…Ｄ環
ｄ…腰ベルト
【図１】
2020114274.tif 000003
【図２】
2020114274.tif 000004
【図３】
2020114274.tif 000005
【手続補正書】
【提出日】令和1年12月6日(2019.12.6)
【手続補正１】
【補正対象書類名】特許請求の範囲
【補正対象項目名】請求項１
【補正方法】変更
【補正の内容】
【請求項１】
フルハーネス型墜落制止用器具の背部にこの背部の外方側から取り付ける標示シートであって、墜落制止用器具の背部に配されるランヤード取付用の連結具に対応する開口を有するシート本体と、墜落制止用器具における背部のハーネスと前記シート本体とを連結する連結バンドとを備えていて、
前記連結バンドは、前記背部のハーネスである肩ベルトに対して緊締状態で巻き着けする巻き帯部を有し、巻き付けした巻き帯部の両端部が、この巻き帯部の両端部に設けられている面ファスナを介して分離可能に連結されることを特徴とする標示シート。
【手続補正２】
【補正対象書類名】明細書
【補正対象項目名】０００９
【補正方法】変更
【補正の内容】
【０００９】
（請求項１の発明）
本発明は上記課題を考慮してなされたもので、フルハーネス型墜落制止用器具の背部にこの背部の外方側から取り付ける標示シートであって、墜落制止用器具の背部に配されるランヤード取付用の連結具に対応する開口を有するシート本体と、墜落制止用器具における背部のハーネスと前記シート本体とを連結する連結バンドとを備えていて、
前記連結バンドは、前記背部のハーネスである肩ベルトに対して緊締状態で巻き着けする巻き帯部を有し、巻き付けした巻き帯部の両端部が、この巻き帯部の両端部に設けられている面ファスナを介して分離可能に連結されることを特徴とする標示シートを提供して、上記課題を解消するものである。